(57)【特許請求の範囲】
【請求項１】
回転駆動装置により回転駆動される回転羽根と、該回転羽根を回転可能に収納するケーシングとを備え、回転羽根は回転軸から放射状に配設された切刃若しくは切刃取付用プレートの一側縁部分を回転軸と同行回動する回転板に固定し、ケーシングは回転羽根の回転軸近傍部分を吸引口として開口させ、回転羽根の外周部分に吐出口を設けると共に、切刃若しくは切刃取付用プレート近傍部と、これに対面するケーシング内面部分との間に粉砕用切刃を設けたことを特徴とする粉砕装置。
【発明の詳細な説明】
【０００１】
【発明の属する技術分野】
本発明は、例えば鉋屑やプレーナ屑や除草された雑草及び伐採や剪定された切り屑などを吸引して粉砕する粉砕装置に関するものである。
【０００２】
【従来の技術】
鉋屑やプレーナ屑や除草された雑草及び伐採や剪定された切り屑、あるいは紙等の裁断屑などの被粉砕物は産業廃棄物として焼却するようにしていたが、焼却に代えて粉砕して圧縮したり、合成樹脂で固めたりして再利用するようにしている。
此処でこれらの被粉砕物を粉砕するのに使用される粉砕装置は、吸引口と吐出口とを形成したケーシング内に先端に切刃を取り付けた回転羽根をモータ等の回転駆動装置により回転駆動させ、吸引口から吸引された鉋屑やプレーナ屑を切刃で粉砕して吐出口から吐出するようにしたものが知られている。
【０００３】
【発明が解決しようとする課題】
ところが、上記従来の粉砕装置では、回転羽根の回転により吸引口からケーシング内に吸引された被粉砕物の一部が回転羽根の側縁とケーシングの内面部分との間にかみ込むことがある。
こうして被粉砕物の一部が回転羽根とケーシングとの間にかみ込むと、回転が低下して、処理能力が低下してしまうだけでなく、大きな負荷になることから、消費電力が多くなり、ランニングコストも高くなってしまうという問題があった。
【０００４】
更に、回転羽根とケーシングとの間に被粉砕物のかみ込みにより負荷が増加するとモータが発熱したり、また、被粉砕物が摩擦により発火したりする危険もあった。
本発明は上記問題点に鑑みて提案されたものであって、被粉砕物の一部が回転羽根の側縁とケーシングの内面部分との間にかみ込むのを防止することにより、消費電力が少なく、発火の危険性もない処理能力の高い粉砕装置を提供できるようにすることを目的とするものである。
【０００５】
【課題を解決するための手段】
上記目的を達成するために本発明に係る粉砕装置は、回転駆動装置により回転駆動される回転羽根と、該回転羽根を回転可能に収納するケーシングとを備え、回転羽根は回転軸から放射状に配設された切刃若しくは切刃取付用プレートの一側縁部分を回転軸と同行回動する回転板に固定し、ケーシングは回転羽根の回転軸近傍部分を吸引口として開口させ、回転羽根の外周部分に吐出口を設けると共に、切刃若しくは切刃取付用プレート近傍部と、これに対面するケーシング内面部分との間に粉砕用切刃を設けたことを特徴とするものである。
【０００６】
【発明の実施の形態】
以下本発明に係る粉砕装置の実施の形態を図面に基づいて説明する。
図１は粉砕装置の全体斜視図であって、図中符号１は粉砕装置を全体的に示す。
この粉砕装置１は、ベースフレーム２と、ベースフレーム２に装着された粉砕部３及び駆動部４とからなる。
駆動部４は、ベースフレーム２の後方上部に固定されたモータ５と、モータ５の出力軸（図示せず）に固定された駆動プーリ６と、後述する粉砕部３の回転軸７に取り付けられた受動プーリ８と、両プーリ６・８に亙って巻回されたベルト９とからなる回転駆動装置１０で構成されている。
【０００７】
粉砕部３は、ベースフレーム２の前方に取り付けられており、図１乃至図３に示すように上記駆動装置１０により回転駆動される回転羽根１１と、この回転羽根１１を回転可能に収納するケーシング１２とからなる。
回転羽根１１は軸受け１３を介してベースフレーム２に回転軸７を回転自在に枢支させ、回転軸７の他端（前端）寄り部に円形の回転板１４を取付け、回転板１４の前面に複数の切刃取付用プレート１５・１５・・・を回転板１４の前方に突出する回転軸７部分から放射状に取り付けるとともに、切刃取付用プレート１５・１５・・・の先端部分に粉砕用の板状の切刃１５ａを固着してある。
【０００８】
回転羽根１１を回転可能に収納するケーシング１２は、回転羽根１１の外周を覆う側壁部分１６と、略円板状に形成され前壁１７および後壁１８とを備え、側壁部分１６には回転羽根１１の回転方向下手側の１部にダクト状の吐出口１９が接線方向に形成されており、回転羽根１１の切刃１５ａの先端とケーシング１２の側壁部分１６との間には編目状のスクリーン２５を介在させてある。
また、前壁１７にはその中央部分に、被処理物を吸引する吸引口２０が開口させてあり、前壁１７の内面には回転羽根１１と協働して作用する粉砕用切刃２１が上下２箇所に設けてある。
上記粉砕用切刃２１は、矩形の板状ブロックで形成されビス等の固定具２２で前壁１７の内面に固定し、粉砕用切刃２１側面２３は粉砕用切刃２１の側縁部分２４及び板状の切刃１５ａの側縁部分に近接させてある。
【０００９】
上記のように形成された粉砕装置１の作用を鉋屑やプレーナ屑を吸引して処理する場合を例に説明する。
駆動部４のモータ５が起動され、この回転が駆動プーリ６、ベルト９、受動プーリ８を介して回転軸７に伝えられると、回転駆動されると、回転羽根１１が回転する。
回転羽根１１が回転すると吸引口２０から鉋屑やプレーナ屑がケーシング１２内に吸引され、その大部分は切刃取付用プレート１５・１５・・・の先端部分に取り付けられた粉砕用の板状の切刃１５ａとスクリーン２５との間で粉砕され、
スクリーン２５の編目を通過したものが回転羽根１１の回転で起風された風により吐出口１９から吐出される。
【００１０】
そして、吸引された鉋屑やプレーナ屑の一部が回転羽根１１とケーシング１２との間にかみ込もうとするが、これを回転羽根１１の側縁２４及び板状の切刃１５ａの側縁部分と粉砕用切刃２１で切られて粉砕された後、スクリーン２５の編目を通過したものが回転羽根１１で起風された風にのり、吐出口１９から放出される。これにより鉋屑やプレーナ屑の当該部分へのかみ込みがなくなるのである。
【００１１】
尚、上記実施の形態では、ベースフレーム２に固定されたモータ５と、モータ５の出力軸に固定した駆動プーリ６と、回転軸７に取り付けられた受動プーリ８及び両プーリ６・８に亙って巻回されたベルト９とで回転駆動装置１０を構成するようにしてあるが、こうしたものに限られず、モータ５はベースフレーム２から分離したり、モータ５をエンジンにすることもできる。
加えて、ベルト９はチェーンにしたり、ギア伝導にすることもできるし、直結することもできる。
【００１２】
また、上記実施の形態では前壁１７の内面に回転羽根１１と協働して作用する粉砕用切刃２１を上下２箇所に設けるようにしてあるが、１箇所もしくは３箇所以上にすることができるし、粉砕用切刃２１の形状は矩形の板状ブロックに限られないことは言うまでもないことである。
更に上記実施の形態では鉋屑やプレーナ屑を吸引して処理する場合を例に説明してあるが、こうしたものに限られず、例えば除草された雑草及び伐採や剪定された切り屑、あるいは紙等の裁断屑など、被粉砕物の粉砕処理にも使用することができるのは言うまでもないことである。
【００１３】
【発明の効果】
以上に説明したように、本発明に係る粉砕装置は、切刃若しくは切刃取付用プレート近傍部と、これに対面するケーシング内面部分との間に粉砕用切刃を設けることにより、回転羽根の回転により吸引口からケーシング内に吸引された被粉砕物の一部が回転羽根の側縁とケーシングの内面部分との間にかみ込もうとしたときに、粉砕用切刃がこれを粉砕して吐出口から吐出されかみ込みが、防止される。
これにより、従来のような回転羽根とケーシングとの間に被粉砕物がかみ込むことにより、回転が低下して、処理能力が低下や、負荷が増大することもなく、消費電力を少なくしてランニングコストを低減する事ができると言う利点がある。
【００１４】
更に、回転羽根とケーシングとの間に被粉砕物のかみ込みをなくせることにより、従来のように負荷の増加によるモータの発熱や、かみ込んだ被粉砕物の摩擦による発火等の危険も防止することができると言う利点もある。
【図面の簡単な説明】
【図１】は本発明に係る粉砕装置の全体斜視図である。
【図２】は本発明に係る粉砕装置の正面図である。
【図３】は本発明に係る粉砕装置の１部を切り欠いた側面図である。
【図４】は本発明に係る粉砕装置の吐出口部分の縦断側面図である。
【符号の説明】
１・・・粉砕装置
４・・・回転駆動装置
７・・・回転軸
１１・・・回転羽根
１２・・・ケーシング
１４・・・回転板
１５・・・切刃取付用プレート
１５ａ・・・切刃
１９・・・吐出口
２０・・・吸引口
２１・・・粉砕用切刃
【図１】
0003572255.tif 000002
【図２】
0003572255.tif 000003
【図３】
0003572255.tif 000004
【図４】
0003572255.tif 000005